(57)【要約】【課題】吸収性本体の両側部を覆う側部シートが安定して起立して防漏壁を形成し、吸収性本体の肌当接面側の両側部における防漏性に優れた吸収性物品を提供すること。【解決手段】吸収性本体１０の両側部には、側部シート７１、表面シート２及び吸収体が圧縮されて形成された一対の長手方向に延びる圧縮溝６が設けられている。圧縮溝６は、吸収性本体１０の前方部と中央部との境界及び中央部と後方部との境界に、吸収性物品の三つ折りにより生じる折り線を跨いで延びている。圧縮溝６の底部から側部シート７１の幅方向内側端部までの側部シート７１の長さは、圧縮溝６の深さよりも長く、且つ圧縮溝６の底部における幅よりも長くなっている。圧縮溝６の深さは、吸収層１１の厚みの５０〜１００％である。【選択図】図１
2008110201.tif 000002
【特許請求の範囲】
【請求項１】
吸収層及び防漏層を備えた実質的に縦長の吸収性本体、及び該吸収性本体の肌当接面側の長手方向両側部を覆う一対の側部シートを具備し、前方部と後方部とを中央部の肌当接面側に折り返して三つ折りにして包装される吸収性物品において、
前記吸収性本体の両側部には、前記側部シート、前記吸収層が圧縮されて形成された一対の長手方向に延びる圧縮溝が設けられており、
前記圧縮溝は、前記吸収性本体の前方部と中央部との境界及び該中央部と後方部との境界に、前記吸収性物品の前記三つ折りにより生じる折り線を跨いで延びており、
前記圧縮溝の底部から前記側部シートの幅方向内側端部までの該側部シートの長さは、該圧縮溝の深さよりも長く且つ該圧縮溝の底部の幅よりも長くなっており、
前記圧縮溝の深さは、前記吸収層の厚みの５０〜１００％である吸収性物品。
【請求項２】
表面シート、裏面シート、及び両シート間に介在された吸収体を備えた実質的に縦長の吸収性本体、及び該吸収性本体の肌当接面側の長手方向両側部を覆う一対の側部シートを具備し、前方部と後方部とを中央部の肌当接面側に折り返して三つ折りにして包装される吸収性物品において、
前記吸収体は、上層と下層とが積層された構造を有しており、且つ前記吸収性本体の両側部に、前記上層及び前記下層の何れか一方が他方の両側縁部それぞれより外方に延出して形成された延出部を有しており、
前記吸収性本体の両側部には、前記側部シート、前記表面シート、及び前記延出部が圧縮されて形成された一対の長手方向に延びる圧縮溝が設けられており、
前記圧縮溝は、前記吸収性本体の前方部と中央部との境界及び該中央部と後方部との境界に、前記吸収性物品の前記三つ折りにより生じる折り線を跨いで延びており、
前記圧縮溝の底部から前記側部シートの幅方向内側端部までの該側部シートの長さは、該圧縮溝の深さよりも長く且つ該圧縮溝の底部の幅よりも長くなっており、
前記圧縮溝の深さは、前記表面シート及び前記延出部の合計厚みの５０〜１００％である吸収性物品。
【請求項３】
前記側部シートは、前記吸収性本体の幅方向内側端部が、幅方向内方に向けて前記表面シートから離間する方向に起立している請求項１又は２記載の吸収性物品。
【請求項４】
前記圧縮溝は、前記吸収性本体の平面視において前記吸収性本体の幅方向内方又は幅方向外方に凸に湾曲している請求項１ないし３の何れかに記載の吸収性物品。
【請求項５】
前記圧縮溝の底部から前記側部シートの幅方向内側端部までの該側部シートの長さが、該圧縮溝の深さの３倍以下である請求項１ないし４の何れかに記載の吸収性物品。
【発明の詳細な説明】
【技術分野】
【０００１】
本発明は、生理用ナプキン、失禁パッド等の吸収性物品に関する。
【背景技術】
【０００２】
従来、表面シート、裏面シート、及び両シート間に介在された吸収体を備えた実質的に縦長の吸収性本体における肌当接面側の両側部からの横漏れを防止するために、該吸収性本体における肌当接面側の両側部を一対の側部シートで覆い、サイド防漏部が設けられている吸収性物品が知られている。このようにサイド防漏部を設けることで、吸収性本体における肌当接面側の両側部に、液の拡散を抑制する領域が形成され、場合によっては立体的な壁が形成され、液が横方向へ移動することが防止される。
【０００３】
例えば、特許文献１には、吸収性本体の長手方向両側部にウイング部を有するフラップが形成されており、該フラップは液バリヤーシートからなり、該液バリヤーシートをその幅方向内側縁から離間した位置において表面シートに接合して、バリヤーシートと表面シートとの間にポケットを形成した吸収性物品が開示されている。また、特許文献２には、表面シートにその左右両側部を覆うように防漏シートが接着されており、該防漏シートは、長手方向に延びる押圧溝において表面シートとともに吸収体に押圧されている吸収性物品が開示されている。
【０００４】
【特許文献１】実開平５−５１３２８号公報
【特許文献２】特開２００２−９５６９７号公報
【発明の開示】
【発明が解決しようとする課題】
【０００５】
特許文献１に記載の吸収性物品では、ウイング部をショーツ等の股下部の外側へ折り返すときの引っ張りによって液バリヤーシートの幅方向内側縁部が起立する。そのため、ウイング部を有しない吸収性物品では、液バリヤーシートを起立させることができない。また、ウイング部を外側へ折り返すときのウイング部の引っ張り方によっては液バリヤーシートが十分に起立しない。特許文献２には、押圧溝の深さと押圧溝から防漏シートの内側端部までの距離との関係、並びに押圧溝の長さ及び形状については何等触れられていない。
【０００６】
従って、本発明の目的は、吸収性本体の肌当接面側の長手方向両側部を覆う一対の側部シートを備えた吸収性物品において、該側部シートが安定的に起立して防漏壁を形成し、吸収性本体の肌当接面側の両側部における防漏性に優れた吸収性物品を提供することにある。
【課題を解決するための手段】
【０００７】
本発明は、吸収層及び防漏層を備えた実質的に縦長の吸収性本体、及び該吸収性本体の肌当接面側の長手方向両側部を覆う一対の側部シートを具備し、前方部と後方部とを中央部の肌当接面側に折り返して三つ折りにして包装される吸収性物品において、
前記吸収性本体の両側部には、前記側部シート、前記吸収層が圧縮されて形成された一対の長手方向に延びる圧縮溝が設けられており、前記圧縮溝は、前記吸収性本体の前方部と中央部との境界及び該中央部と後方部との境界に、前記吸収性物品の前記三つ折りにより生じる折り線を跨いで延びており、前記圧縮溝の底部から前記側部シートの幅方向内側端部までの該側部シートの長さは、該圧縮溝の深さよりも長く且つ該圧縮溝の底部の幅よりも長くなっており、前記圧縮溝の深さは、前記吸収層の厚みの５０〜１００％である吸収性物品を提供することにより上記目的を達成したものである。
【０００８】
また、本発明は、表面シート、裏面シート、及び両シート間に介在された吸収体を備えた実質的に縦長の吸収性本体、及び該吸収性本体の肌当接面側の長手方向両側部を覆う一対の側部シートを具備し、前方部と後方部とを中央部の肌当接面側に折り返して三つ折りにして包装される吸収性物品において、前記吸収体は、上層と下層とが積層された構造を有しており、且つ前記吸収性本体の両側部に、前記上層及び前記下層の何れか一方が他方の両側縁部それぞれより外方に延出して形成された延出部を有しており、前記吸収性本体の両側部には、前記側部シート、前記表面シート、及び前記延出部が圧縮されて形成された一対の長手方向に延びる圧縮溝が設けられており、前記圧縮溝は、前記吸収性本体の前方部と中央部との境界及び該中央部と後方部との境界に、前記吸収性物品の前記三つ折りにより生じる折り線を跨いで延びており、前記圧縮溝の底部から前記側部シートの幅方向内側端部までの該側部シートの長さは、該圧縮溝の深さよりも長く且つ該圧縮溝の底部の幅よりも長くなっており、前記圧縮溝の深さは、前記表面シート及び前記延出部の合計厚みの５０〜１００％である吸収性物品を提供することにより上記目的を達成したものである。
【発明の効果】
【０００９】
本発明によれば、吸収性本体の肌当接面側の長手方向両側部を覆う一対の側部シートを備えた吸収性物品において、側部シートが安定的に起立して防漏壁を形成し、吸収性本体の肌当接面側の両側部における防漏性に優れる。
【発明を実施するための最良の形態】
【００１０】
以下に、本発明の吸収性物品の好ましい一実施形態（第一実施形態）について、図１〜図５を参照しながら説明する。本実施形態は、本発明の吸収性物品を生理用ナプキンに適用したものである。
本実施形態の生理用ナプキン１は、図１〜図４に示すように表面シート２、裏面シート３、及び両シート間に介在された吸収体４を備えた実質的に縦長に形成されている吸収性本体１０と、該吸収性本体１０の肌当接面側の長手方向両側部を覆う一対の側部シート７１とを具備し、包装時には前方部Ａと後方部Ｃとを中央部Ｂの肌当接面側に折り返して三つ折りにして包装されている。前記吸収性本体１０の両側部には、前記側部シート７１、前記表面シート２及び前記吸収体４が圧縮されて形成された一対の長手方向に延びる圧縮溝６が設けられている。該圧縮溝６は、前記吸収性本体１０の前記前方部Ａと前記中央部Ｂとの境界及び該中央部Ｂと前記後方部Ｃとの境界に、前記生理用ナプキン１の前記三つ折りにより生じる折り線Ｓ１、Ｓ２を跨いで延びている。図５に示すように、前記圧縮溝６の底部から前記側部シート７１の幅方向内側端部７２までの該側部シートの長さＬ１は、該圧縮溝６の深さＴ１よりも長く且つ該圧縮溝６の底部の幅Ｗ１よりも長くなっている。前記圧縮溝６の深さＴ１は、吸収層１１の厚みＴ４（表面シート２と吸収体４の合計厚み，図５参照）の５０〜１００％である。
【００１１】
本実施形態の生理用ナプキン１においては、前記吸収性本体１０は、図３及び図４に示すように、吸収層１１及び防漏層１２からなる。前記吸収層１１は、前記表面シート２及び前記吸収体４を主体として構成されている。前記防漏層１２は、前記裏面シート３を主体として構成されている。前記吸収性本体１０の長手方向両側部には、一対のサイド防漏部７，７が設けられている。一対の該サイド防漏部７，７は、前記側部シート７１を主体として構成されている。
【００１２】
前記吸収性本体１０の長手方向両側部においては、図３に示すように、前記側部シート７１、前記表面シート２及び前記裏面シート３がそれぞれ幅方向外側に延出しており、側部シート７１と裏面シート３とが表面シート２を介して接着剤で接合されている。
更に、前記中央部Ｂにおいては、図４に示すように、前記吸収体４の両側縁それぞれから前記側部シート７１及び前記表面シート２が幅方向外側に延出して接合され、ウイング部８が形成されている。
【００１３】
前記表面シート２及び前記裏面シート３の長手方向両端部は、それぞれ前記吸収性本体１０の長手方向両側縁から延出し、ヒートシール等の公知の接合方法により接合されている。
前記裏面シート３の非肌当接面側（外面）には、生理用ナプキン１を着用者のショーツ等に固定するためのズレ止め剤（図示せず）が設けられている。ズレ止め剤は、剥離紙（図示せず）によって被覆されており、未使用時には保護されている。
【００１４】
更に説明すると、一対の前記サイド防漏部７，７には、図２に示すように、幅方向内方に凸に湾曲している一対の前記圧縮溝６，６が設けられている。一対の該圧縮溝６，６の形状は、前記吸収層１０の長手方向に延びる中心線（図示せず）及び幅方向に延びる中心線（図示せず）それぞれに対して略線対称となっている。前記圧縮溝６は、前記サイド防漏部７における幅方向内側縁部の幅方向外側を、前記吸収性本体１０の長手方向に沿って前記折り線Ｓ１及びＳ２を跨いで延びている。
【００１５】
一対の前記圧縮溝６，６は、図３及び図４に示すように、前記側部シート７１、前記表面シート２及び前記吸収体４が接合されて形成されている。本実施形態においては、一対の圧縮溝６，６は、エンボス加工により形成されており、側部シート７１、表面シート２及び吸収体４はヒートシールにより接合されている。一対の圧縮溝６，６の深さＴ１は、図５に示すように、圧縮溝６が形成されていない部位における吸収層１１の厚みＴ４（表面シート２と吸収体４の合計厚み）の５０〜１００％、好ましくは７０〜９０％となっている。圧縮溝６の深さＴ１は、前記吸収体４の厚みＴ２の５０〜１００％、特に７０〜９０％であることも好ましい。
また、前記側部シート７１の幅方向内側端部７２は、表面シート２とは接合されておらず、サイド防漏部７の幅方向内側端部７２には、自由端が形成されている。このように、圧縮溝６が深く形成されていること、及び側部シート７１の幅方向内側端部が表面シート２と接合されていないことに起因して、サイド防漏部７においては、側部シート７１はその自由端が、吸収性本体１０の幅方向内方に向けて表面シート２から離反する方向に起立している。
【００１６】
前記側部シート７１が起立し、防漏効果を発揮するためには、図５に示すように、前記圧縮溝６の底部から前記側部シート７１の幅方向内側端部７２までの該側部シート７１の長さＬ１は、前記圧縮溝６の深さＴ１よりも長く、且つ該圧縮溝６の底部の幅Ｗ１よりも長くなっていることが重要である。なお、本発明において圧縮溝６の底部から側部シート７１の幅方向内側端部７２までの該側部シート７１の長さＬ１とは、圧縮溝６が最も幅方向内方に設けられている部分における圧縮溝６の底部から側部シート７１の幅方向内端部７２までの該側部シート７１の長さをいう。また、圧縮溝６の底部の幅Ｗ１とは、圧縮溝６の幅（吸収性本体１０の幅方向の長さ、以下同じ）が最も広い部分における圧縮溝６の底部の幅をいう。圧縮溝６の深さＴ１は、圧縮溝６の形成されていない部位における吸収体４の厚みＴ２と、圧縮溝６の形成されている部位における高さＴ３との差で表され、例えば圧縮溝６が多段階の深さに形成されている場合には、その最も深く形成されている部位における深さをいう。なお、圧縮溝６の形成されている部位における高さＴ３は、圧縮溝６の形成されていない部位における吸収体４の厚みＴ２の底面と同じ高さより測定をするものであり、圧縮溝６の形成されている部位の底面が、生理用ナプキン１の裏面側から突出、又は窪んでいる場合においても、圧縮溝６の形成されていない部位における吸収体４の厚みＴ２の底面と同じ高さより測定した高さをいう。
【００１７】
前記圧縮溝６の底部から前記側部シート７１の幅方向内側端部７２までの該側部シート７１の長さＬ１が圧縮溝６の深さＴ１よりも短い場合、又は圧縮溝６の底部の幅Ｗ１よりも短い場合には、側部シート７１の幅方向内側端部７２が圧縮溝６の内部に存在することとなり、防漏効果を発揮することができなくなる。また、圧縮溝６の底部から側部シート７１の幅方向内側端部７２までの該側部シート７１までの長さＬ１は、圧縮溝６の深さＴ１の３倍以下であることが好ましい。圧縮溝６の底部から側部シート７１の幅方向内側端部７２までの該側部シート７１の長さＬ１が圧縮溝６の深さＴ１の長さの３倍を超えると、側部シート７１の起立性が悪くなるおそれがある。また、圧縮溝６の上面の開口幅Ｗ２は、前記圧縮溝６の底部の幅Ｗ１と同じであるか又は該圧縮溝６の底部の幅Ｗ１よりも広いことが好ましい。
【００１８】
本実施形態の生理用ナプキン１の各部位の数値関係について具体的に説明すると、圧縮溝６の底部から側部シート７１の幅方向内側端部７２までの側部シート７１の長さＬ１は、折り線Ｓ１及びＳ２に囲まれた部位（中央部Ｂ）においてのみでなく、折り線Ｓ１及びＳ２よりも長手方向外方部においてのサイド防漏部７による防漏効果を高め、個包装による折り畳み状態を経てもサイド防漏部の起立性を有する観点から、好ましくは１０〜５０ｍｍ、更に好ましくは２０〜４０ｍｍである。圧縮溝の深さＴ１は、側部シート７１を十分に起立させる観点から、好ましくは２〜１０ｍｍ、更に好ましくは３〜５ｍｍである。同様に圧縮溝６の底部の幅Ｗ１は、０．５〜４ｍｍ、更に好ましくは１〜３ｍｍである。圧縮溝６の上面の開口幅Ｗ２は、１〜５ｍｍ、更に好ましくは２〜４ｍｍである。前記側部シート７１の幅方向内側端部７２から前記表面シート２の肌当接面側までの厚み方向の距離Ｌ２（側部シート７１の自由端７２が表面シート２から離間している長さ）は、好ましくは１〜５ｍｍ、更に好ましくは２〜４ｍｍである。また、圧縮溝６の長手方向に沿う長さは、後述する前方溝５４の最前端と外側後方溝５３の最後端との距離とほぼ同じかそれよりも長いことが好ましい。
【００１９】
また、前記吸収体４の厚みは、好ましくは２〜１０ｍｍ、更に好ましくは３〜５ｍｍである。また、吸収体４の坪量は、該吸収体４の柔軟性を確保する観点から、好ましくは１００〜８００ｇ／ｍ2、更に好ましくは２００〜４００ｇ／ｍ2である。
【００２０】
本実施形態の生理用ナプキン１においては、前記一対の圧縮溝６，６の他に、図２に示すように、前記前方部Ａに一対の前方溝５４，５４、前記中央部Ｂに一対の中央溝５１，５１、前記後方部Ｃに一対の内側後方溝５２，５２、及び該一対の内側後方溝５２，５２の幅方向外方に位置し且つ該内側後方溝５２よりも長手方向後方に延びる一対の外側後方溝５３，５３が設けられている。
【００２１】
一対の前記中央溝５１，５１、一対の前記内側後方溝５２，５２、一対の前記外側後方溝５３，５３及び一対の前方溝５４，５４それぞれは、図２に示すように、前記吸収性本体１０の長手方向に延びる中心線（図示せず）に対して略線対称形状となっている。また、一対の中央溝５１，５１、一対の外側後方溝５３，５３及び一対の前方溝５４，５４は、平面視において幅方向外側に凸に湾曲している。一対の内側後方溝５２，５２は、幅方向の間隔が後方に向かって徐々に狭くなっており、その後端部で繋がっている。
【００２２】
本実施形態では、図２に示すように、一対の前記前方溝５４，５４の後端と一対の前記中央溝５１，５１の前端とは繋がっており、一対の前記中央溝５１，５１の後端と一対の前記外側後方溝５３，５３とは繋がっている。更に、一対の前記前方溝５４，５４は長手方向前端において繋がっており、一対の前記外側後方溝５３，５３は長手方向後端において繋がっている。従って、本実施形態においては一対の前方溝５４，５４、一対の中央溝５１，５１及び一対の外側後方溝５３，５３によって囲まれ閉じた領域が形成されている。また、一対の内側後方溝５２，５２は、一対の中央溝５１，５１及び一対の外側後方溝５３，５３とは繋がっていない。
【００２３】
本実施形態においては、図３に示すように、前記中央溝５１、前記内側後方溝５２、前記外側後方溝５３及び前記前方溝５４は、吸収性本体１０の厚み方向に吸収体４の非肌当接面側近傍にまで深く延びて形成されている。そのため、排泄された体液が多量であっても、体液は、中央溝５１、内側後方溝５２、外側後方溝５３、及び前方溝５４で一旦止められ、これらの溝を通って吸収体４に移動することができる。
【００２４】
本実施形態においては、上記各溝は上述した一対の圧縮溝６，６と同様に、前記吸収性本体１０の肌当接面側に、エンボス加工により形成され、前記表面シート２と前記吸収体４とがヒートシール接合されている。
【００２５】
前記表面シート２及び前記裏面シート３の形成材料としては，従来の吸収性物品等において用いられている各種のシート材料を特に制限なく用いることができる。
前記側部シート７１の形成材料としては、従来の吸収性物品等において用いられている各種の撥水性を有するシート材料を用いることができ、特にポリエチレンシート、ポリエチレンラミネート紙、ＳＭＳ不織布等が好ましい。
【００２６】
前記吸収体４のパルプ材料としては，従来の吸収性物品等において用いられている各種のパルプ材料を用いることができ、特に針葉樹パルプ、化学処理された合成パルプ、セルローストウのような長繊維が好ましい。また、吸収体４の形成材料として、パルプ材料の他に、高分子吸収ポリマー、ポリエステルやポリプロピレン製の合成繊維、熱融着性繊維、レーヨンを用いることもできる。吸収体４の形成材料として、パルプ材料及びその他の前記材料を混合して用いることも好ましい。
【００２７】
本実施形態の生理用ナプキン１は、使用前においては、前方部Ａと中央部Ｂとの境界線近傍、及び中央部Ｂと後方部Ｃとの境界線近傍を折り線として、図６に示すように、３つ折りに折り畳まれている。また、図２に示すように、前方部Ａと中央部Ｂとの境界線近傍は、前方溝５４と中央溝５１との繋がり位置となっており、該繋がり位置近傍における溝（前方溝５４及び中央溝５１）の形状は、幅方向内側に括れた形状となっている。同様に、中央部Ｂと後方部Ｃとの境界線近傍は、中央溝５１と外側後方溝５３との繋がり位置となっており、該繋がり位置近傍における溝（中央溝５１及び外側後方溝５３）の形状は、幅方向内側に括れた形状となっている。生理用ナプキン１を使用する際には、テープ９が外されるか、テープ９がない場合はそのまま、折り畳まれている前方部Ａ及び後方部Ｃそれぞれが長手方向外側に開かれる。このように、生理用ナプキン１は、括れた形状を有する前方溝５４と中央溝５１との繋がり位置及び中央溝５１と外側後方溝５３との繋がり位置付近を折り線として折り畳まれているため、曲げ誘導によって折り皺が少なく、着用時には隆起によって皺が消失もしくは緩和されるため、使用感が良く、生理用ナプキン１の表面に排泄された体液が、該皺を伝って、幅方向に漏れることを防止できる。尚、図６に示す折り畳み形状は、生理用ナプキン１単体であるが、包装シートや剥離シートとともに折り畳まれていても良い。
【００２８】
本実施形態の生理用ナプキン１は、ショーツ等の股下部内側に固定して着用される。生理用ナプキン１の中央部Ｂにおける表面シート２は、着用者の排泄部に当接する。この際、生理用ナプキン１は、着用者の両太ももの付け根内側により左右から幅方向内側へ圧縮力を受ける。生理用ナプキン１は、左右から幅方向内側へ圧縮力を受けると、一対の中央溝５１，５１が幅方向外側に凸に湾曲していることに起因して、一対の該中央溝５１，５１に囲まれている吸収体４の中央部分が隆起する。
【００２９】
本実施形態の生理用ナプキン１によれば、側部シート７１が表面シート２及び吸収体４とともに吸収体４の厚みの５０〜１００％の深さにまで圧縮されて圧縮溝が設けられているため、サイド防漏部７において側部シート７１が安定的に起立し、吸収性本体１０の肌当接面側の両側部における防漏性に優れる。さらに、前記圧縮溝６が多段階の深さに形成されている場合には、側部シート７に波状形状もしくは不規則な皺形状が形成され、圧縮溝６の上端よりも上面側に位置する側部シート７の起立部分が折れ難く、また曲がり難くなる点から好ましい。
また、圧縮溝６は、前記折り線Ｓ１、Ｓ２を跨いで延びている。折り線Ｓ１及びＳ２に囲まれた部位（中央部Ｂ）は着用者の液排泄部に対向配置される排泄部対向部位である。このように、圧縮溝６が排泄部対向部位の長手方向前方及び後方に亘って設けられていることによっても、吸収性本体１０の肌当接面側の両側部における防漏性が向上する。更に、折り線Ｓ１及びＳ２によって生じる折り皺が側部シート７にも形成されることで、側部シート７の起立性が高められる。
【００３０】
本実施形態の生理用ナプキン１においては、上述の通り、着用時に一対の中央溝５１，５１に囲まれた部位が隆起する。この隆起形成によって側部シート７１の起立性が増し、吸収性本体１０の肌当接面側の両側部における防漏性が向上するという利点も有する。さらに、側部シート７１の内側端部７２は、中央溝５１，５１よりも幅方向外方に位置しているため、一対の中央溝５１，５１に囲まれた部位の隆起と接触しにくくなっており、両側部における防漏効果の低下を起こさない点から好ましい。
また、本実施形態の生理用ナプキン１によれば、圧縮溝６が吸収性本体１０の幅方向内方に凸に湾曲しているため、吸収性本体１０の長手方向前後端ほど側部シート７の起立が高く形成され易く、身体の動き等によって生理用ナプキン１と身体との間に隙間が形成されにくい。
【００３１】
次に、本発明の吸収性物品の第二実施形態の生理用ナプキンについて説明する。第二実施形態の生理用ナプキン１は、図６に示すように、一対の圧縮溝６，６が、幅方向外側に凸に湾曲している点で第一実施形態の生理用ナプキン１と異なる以外は、第一実施形態と同一である。
【００３２】
このように構成された第二実施形態の生理用ナプキン１によれば、第一実施形態と同様の効果が奏される他、一対の圧縮溝６，６が、幅方向外側に凸に湾曲しているため、吸収性本体１０の中央部Ｂにおいて、側部シート７の起立が高く形成され易く、排泄領域（中央部Ｂ）での防漏効果が高められる。
【００３３】
本発明の吸収性物品は、前述した実施形態に制限されることなく、本発明の趣旨を逸脱しない限り適宜変更が可能である。
例えば、一対の圧縮溝６，６は、吸収性本体の長手方向に沿って直線状に設けられていてもよく、中央部Ｂにおいては直線状で、前方部Ａの前端部及び後方部Ｃの後端部が幅方向内方又は幅方向外方に向けて延びている形状であってもよい。
本実施形態においては、前記前方溝５４、前記中央溝５１及び前記外側後方溝５３がそれぞれ繋がって閉じた領域が形成されているが、上記各溝は繋がっていなくてもよく、その形状は本実施形態に示した形状に限られない。
【００３４】
本実施形態においては、ウイング部８は、側部シート７１及び裏面シート３を主体として構成されていたが、表面シート２及び裏面シート３から構成されていてもよく、また側部シート７１、表面シート２及び裏面シート３の３層から構成されていてもよい。
本実施形態においては、サイド防漏部７を構成する側部シート７１は、一層構造であったが、幅方向内側縁部で折り返されて２層構造となっていてもよい。
【００３５】
また、一対の圧縮溝６，６は、線状に限らず、ドット状エンボスやハート柄や花柄等の図柄が並んで形成され、ドット状エンボスや図柄の間が低くなって溝状になったものでも良い。このような場合、湾曲形状による効果は、幅方向内方側の形状によって奏される。
【００３６】
さらに、本発明の吸収性物品における吸収体は複数層からなるものであっても良くその複数層のうちの何れか一層のみが側方に延出し、その延出部に一対の圧縮溝６，６が形成されていても良い。
例えば、図８に示す生理用ナプキンの吸収体４は、上層４１と下層４２とが積層された構造を有しており、吸収性本体１１の両側部に、上層４１及び下層４２の一方である下層４２が、他方である上層４１の両側縁部４１ａ，４１ａそれぞれより幅方向外方に延出して形成された延出部４３，４３を有している。そして、それらの延出部４３，４３が位置する吸収性本体１１の両側部に、側部シート７１、表面シート２及び延出部４３が圧縮されて形成された一対の圧縮溝６，６を有している。この場合においても、圧縮溝６，６の深さは、吸収性本体１１の両側部における、吸収層１１の厚み（表面シート２及び延出部４３の合計厚みＴ４）の５０〜１００％、特に５０〜１００％であることが好ましい。図８に示す生理用ナプキンにおいて、下層４２を上層４１の両側縁部４１ａ，４１ａそれぞれより外方に延出させて延出部４３を形成するのに代えて、上層４１を下層４２の両側縁部より外方に延出させて延出部４３を形成することもできる。図８に示す生理用ナプキンについて特に説明しない点は、第一又は第二実施形態の生理用ナプキンと同様である。
【００３７】
本発明の吸収性物品は、生理用ナプキンに制限されず、失禁パッド等に適用することができる。また、上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３８】
【図１】図１は、本発明の吸収性物品の一実施形態（第一実施形態）である生理用ナプキンを示す斜視図である。
【図２】図２は、図１に示す生理用ナプキンの平面図である。
【図３】図３は、図２に示すＸ−Ｘ線断面図である。
【図４】図４は、図２に示すＹ−Ｙ線断面図である。
【図５】図５は、図４の模式的部分拡大図である。
【図６】図６は、本発明の吸収性物品の別の実施形態（第二実施形態）である生理用ナプキンを示す斜視図である。
【図７】図７は、図１に示す生理用ナプキンが三つ折りにされた状態を示す斜視図である。
【図８】図８は、本発明の吸収性物品の更に別の実施形態である生理用ナプキンを示す断面図（図４相当図）である。
【符号の説明】
【００３９】
１  生理用ナプキン（吸収性物品）
１０  吸収性本体
１１  吸収層
１２  防漏層
２  表面シート
３  裏面シート
４  吸収体
５１  中央溝
５２  内側後方溝
５３  外側後方溝
５４  前方溝
６  圧縮溝
７  サイド防漏部
７１  側部シート
７２  幅方向内側端部（自由端）
８  ウイング部
９  テープ
【図１】
2008110201.tif 000003
【図２】
2008110201.tif 000004
【図３】
2008110201.tif 000005
【図４】
2008110201.tif 000006
【図５】
2008110201.tif 000007
【図６】
2008110201.tif 000008
【図７】
2008110201.tif 000009
【図８】
2008110201.tif 000010